(57)【要約】      （修正有）【課題】人体にブラジャーを装着した時に肩紐が肩から離脱したり、脱落して、ブラジャーが正常位置を維持できなくなるのを防止する。【解決手段】一対のカップ部とこれらのカップ部より外方向に延びる一対のバック部とこれらのバック部の夫々の先端部に設けたフック部とカップ部とバック部を上部方向に延びて連結する一対の肩紐と、この肩紐を連結する脱落防止帯とにより構成される。【選択図】図１
0003136295.tif 000002
【実用新案登録請求の範囲】
【請求項１】
一対のカップ部とこれらのカップ部より外方向に延びる一対のバック部とこれらのバック部の夫々の先端部に設けられたフック部と前記カップ部とバック部を上部方向に延びて連結せる一対の肩紐とこれらの肩紐を連結する脱落防止帯とよりなるブラジャー装置。
【請求項２】
前記脱落防止帯は、肩紐に着脱自在に装着されることを特徴とする請求項１に記載のブラジャー装置。
【請求項３】
前記脱落防止帯は、両端に係止具を備え、該係止具が肩紐に対し人為的に移動させない限り摺動しないように装着されてなることを特徴とする請求項２記載のブラジャー装置。
【請求項４】
両端には、肩紐に装着せる際、該肩紐から離脱しないように離脱防止片を備えた掛け留め具を備えたことを特徴とするブラジャー用脱落防止帯。
【請求項５】
前記脱落防止帯は、伸縮可能な材料よりなり、更に全体の長さも調節可能にする調節具を備えてなることを特徴とせるブラジャー用脱落防止帯。
【考案の詳細な説明】
【技術分野】
【０００１】  本考案は、人体にブラジャーを装着した時に肩紐が肩から離脱或いは脱落して、ブラジャーが正常位置を維持できなくなるのを防止するように、肩紐の広がりを阻止するようにしたものである。
【背景技術】
【０００２】  従来から知られている一般的なブラジャーは、一対のカップ部と、これを人体に装着するバック部と、該バック部と前記カップ部を繋ぎ人体の肩に掛ける肩紐と、からなっており（例えば特開平９−３１７１１に記載の図）、通常には肩紐を人体に合うようにその長さを調節して、肩に通し更に、バック部の先端に設けた一対のフックを掛け止めして、人体に装着する。【０００３】  更には、肩紐とバック部を人体の背中部分でＸ状にクロス結合して、肩紐の外方への広がりを防止したものも知られている。
【考案の開示】
【考案が解決しようとする課題】
【０００４】  上記従来技術のブラジャーは、人体に装着した時には肩紐が肩から外れ易く、その長さを調節するには手間を必要とし、Ｘ状にクロス結合する方式は、ブラジャーの着脱が面倒で、時間をようする。【０００５】  本考案は、このような課題を解決し、ブラジャーの人体への装着、取り外しを迅速且つ容易にして、装着後は肩紐が肩から脱落することのないようにしたものである。
【課題を解決するための手段】
【０００６】  本考案は、一対のカップ部とこれらのカップ部より外方向に延びる一対のバック部とこれらのバック部の夫々の先端部に設けられたフック部と前記カップ部とバック部を上部方向に延びて連結せる一対の肩紐と、この肩紐を連結する脱落防止帯とよりなることを特徴とする。【０００７】  更に、前記脱落防止帯は、肩紐に着脱自在に装着されることを特徴としている。【０００８】  また、上記の脱落防止帯は、両端に係止具を備え、該係止具が肩紐に対し人為的に移動させない限り摺動しないように装着されてなることを特徴とする。【０００９】  本考案は、両端には、肩紐に装着せる際、該肩紐から離脱しないように離脱防止片を備えた掛け留め具を備えたことを特徴とするブラジャー用脱落防止帯を提供する。【００１０】  上記の脱落防止帯は、伸縮可能な材料よりなり、更に全体の長さも調節可能にする調節具を備えてなることを特徴とせるブラジャー用脱落防止帯を提供する。
【考案の効果】
【００１１】  本考案のブラジャー装置は、ブラジャー本体と脱落防止帯都より構成されるので、人体に装着せる際、肩紐の外向きの広がりを防止し、肩紐が肩から脱落するのを防止することを可能にする。【００１２】  更に、脱落防止帯はブラジャー本体に対し、着脱自在となるように構成しているので、取り扱いが簡便で、迅速な装着と取り外しを可能にする。【００１３】  また、係止具の働きにより、肩紐に止められて移動しないし、脱落もしない状態を維持する事ができる。
【考案を実施するための最良の形態】
【００１４】  本考案のブラジャー装置を、図１〜図１４に基づいて説明する。
図１は、本考案のフックを外した状態の背面図、図２は、人体に装着した状態の背中側から見た図、図３は、本考案の脱落防止帯の正面図、図４及び図５は、図３の他の実施例を示す図、図６、図７は、図３の装着状態の正面からと背面からの要部拡大図、図８、図９は、同じく図４の要部拡大図、図１０、図１１は、図５の装着状態の要部拡大図である。【００１５】  本考案は、ブラジャー本体１と脱落防止帯２とより構成され、該脱落防止体はその装着時には人体の背部即ち背中に配置される。
前記ブラジャー本体は、一対となったカップ部３，３と、これらカップ部の両サイド外側方向に延びて、夫々の先端に一組のフック部４，４を設けたバック部５，５と、同じくブラジャー本体１、１の夫々上部より調節体６，６を保持してその先端をバック部５，５に連結した肩紐７，７とより構成される。
前記ブラジャー本体１は、基本的には綿布を主体に構成され、バック部５，５及び肩紐７，７は人体に合うように、その機能上弾性或いは伸縮性を兼ね備える。フック部４，４は引掛調整を行うようにして長さを調整する事ができる。【００１６】前記脱落防止帯２は、幅１０ミリメートル程度の紐或いはベルト状のもので、綿布質で伸縮性の材料を用い、長さ方向の途中に調節子８と、両端に係止具９，９を備え、この係止具９，９を前記肩紐７，７に連結させて、肩紐７，７が外方向に移動しないようにしている。【００１７】前記係止具９，９は、金属、樹脂等の材料よりなり、脱落防止帯２の両端を受け入れる１０ミリメートル程度の長さを有する通し孔１０と、この通し孔の部位よりこれを一片にして、Ｇ字状、Ｅ字状、Ｆ字状に成型し、上下位置に設けた保持片１１、１１と、両保持片
上記の脱落防止帯は、伸縮可能な材料よりなり、更に全体の長さも調節可能にする調節具を備えてなることを特徴とせるブラジャー用脱落防止帯を提供する。
【考案の効果】
【００１１】  本考案のブラジャー装置は、ブラジャー本体と脱落防止帯都より構成されるので、人体に装着せる際、肩紐の外向きの広がりを防止し、肩紐が肩から脱落するのを防止することを可能にする。
【００１２】  更に、脱落防止帯はブラジャー本体に対し、着脱自在となるように構成しているので、取り扱いが簡便で、迅速な装着と取り外しを可能にする。
【００１３】  また、係止具の働きにより、肩紐に止められて移動しないし、脱落もしない状態を維持する事ができる。
【考案を実施するための最良の形態】
【００１４】  本考案のブラジャー装置を、図１〜図１４に基づいて説明する。
図１は、本考案のフックを外した状態の背面図、図２は、人体に装着した状態の背中側から見た図、図３は、本考案の脱落防止帯の正面図、図４及び図５は、図３の他の実施例を示す図、図６、図７は、図３の装着状態の正面からと背面からの要部拡大図、図８、図９は、同じく図４の要部拡大図、図１０、図１１は、図５の装着状態の要部拡大図である。【００１５】  本考案は、ブラジャー本体１と脱落防止帯２とより構成され、該脱落防止体はその装着時には人体の背部即ち背中に配置される。
前記ブラジャー本体は、一対となったカップ部３，３と、これらカップ部の両サイド外側方向に延びて、夫々の先端に一組のフック部４，４を設けたバック部５，５と、同じくブラジャー本体１、１の夫々上部より調節体６，６を保持してその先端をバック部５，５に連結した肩紐７，７とより構成される。
前記ブラジャー本体１は、基本的には綿布を主体に構成され、バック部５，５及び肩紐７，７は人体に合うように、その機能上弾性或いは伸縮性を兼ね備える。フック部４，４は引掛調整を行うようにして長さを調整する事ができる。【００１６】前記脱落防止帯２は、幅１０ミリメートル程度の紐或いはベルト状のもので、綿布質で伸縮性の材料を用い、長さ方向の途中に調節子８と、両端に係止具９，９を備え、この係止具９，９を前記肩紐７，７に連結させて、肩紐７，７が外方向に移動しないようにしている。【００１７】前記係止具９，９は、金属、樹脂等の材料よりなり、脱落防止帯２の両端を受け入れる１０ミリメートル程度の長さを有する通し孔１０と、この通し孔の部位よりこれを一片にして、Ｇ字状、Ｅ字状、Ｆ字状に成型し、上下位置に設けた保持片１１、１１と、両保持片の中間位置に設けた押え片１２と、更には前記保持片１１，１１の先端を折り曲げて設け
の中間位置に設けた押え片１２と、更には前記保持片１１，１１の先端を折り曲げて設けた阻止片１３，１３とより構成している。【００１８】係止具９，９は、脱落防止帯２の両端に通し孔１０，１０にて止められて、更に、肩紐７を上下に貫通して装着される。この際、肩紐７は保持片１１，１１と押え片１２とによって挟み込まれて、自由に動き得ない状態になる。また、阻止片１３により肩紐７が係止具９より離脱しないようにしている。【００１９】前記脱落防止帯２には、装着時の美的感覚を高めるため前記通し孔１０、１０に亘り装飾体１４が橋架される。この装飾体は、金属のチエーン状の鎖具１５とその両端に設けた着脱掛け具１６，１６と、必要に応じて垂下して設けた飾り１７よりなり、脱落防止帯２を肩紐７，７に装着せる際、この下方に飾り１７が位置するように配置する。
【図面の簡単な説明】
【００２０】
【図１】  本考案ブラジャー装置の人体に装着前の背面図
【図２】  図１のブラジャー装置を人体に装着した状態の背面図
【図３】  脱落防止帯の正面図
【図４】  図３の他の実施例の正面図
【図５】  図３の他の実施例の正面図
【図６】  図３の装着状態の正面からの要部拡大図
【図７】  同じく背面からの要部拡大図
【図８】  図４の正面からの要部拡大図
【図９】  図４の背面からの要部拡大図
【図１０】  図５の正面からの要部拡大図
【図１１】  図５の背面からの要部拡大図である。
【符号の説明】
【００２１】      １    ブラジャー本体
２    脱落防止帯
３    カップ部
４    フック部
５    バック部
６    調節体
７    肩紐
９    係止具
１０  通し孔
１１  保持片
１２  押え片
【図１】
0003136295.tif 000003
【図２】
0003136295.tif 000004
【図３】
0003136295.tif 000005
【図４】
0003136295.tif 000006
【図５】
0003136295.tif 000007
【図６】
0003136295.tif 000008
【図７】
0003136295.tif 000009
【図８】
0003136295.tif 000010
【図９】
0003136295.tif 000011
【図１０】
0003136295.tif 000012
【図１１】
0003136295.tif 000013